(57)【要約】【課題】複数の代行可能局の効果的な運用を可能とする。【解決手段】基地局１、複数の端末局１１、Ａ１〜Ａ２を有し、複数の端末局の内の２つ以上が代行統制状態への切替機能を有する代行可能局Ａ１〜Ａ２となっている。基地局は、代行統制を設定する状態になった場合に１つの代行可能局を指定する情報を含む代行統制の通知信号を送信する。代行可能局は、代行統制の通知信号が受信された場合に、自局が指定されたときには代行統制状態へ移行し、他のときには他代行統制状態へ移行する。代行可能局が他代行統制状態で代行統制状態への切替要求信号を送信すると、それを受信した基地局が当該代行可能局を指定する情報を含む代行統制の通知信号を送信する。【選択図】  図１
2011135146.tif 000002
【特許請求の範囲】
【請求項１】
基地局と、前記基地局と無線により通信する複数の端末局を有し、前記複数の端末局の内の２つ以上が代行統制状態への切替機能を有する代行可能局となっている無線通信システムにおいて、
前記基地局は、前記複数の端末局と無線により通信する基地局無線通信手段と、代行統制を設定する状態になった場合に、前記２つ以上の代行可能局の内で予め定められた１つの代行可能局を指定する情報を含む代行統制の通知信号を無線により送信する代行開始通知手段と、を備え、
前記２つ以上の代行可能局のそれぞれは、前記基地局と無線により通信する端末局無線通信手段と、前記基地局から代行統制の通知信号が受信された場合に、当該通知信号に含まれる情報により自局が指定されたか否かを判定し、自局が指定されたと判定したときには、予め設定された動作である代行統制動作を行う代行統制状態へ移行する一方、自局が指定されなかったと判定したときには、予め設定された動作である他代行統制動作を行う他代行統制状態へ移行する代行移行手段と、前記代行統制状態において前記代行統制動作を行う代行統制動作手段と、前記他代行統制状態において前記他代行統制動作を行う他代行統制動作手段と、自局が他代行統制動作を行う他代行統制状態である場合に、代行統制状態への切替要求があったことに応じて、代行統制状態への切替要求信号を前記基地局へ無線により送信する切替要求手段と、を備え、
更に、前記基地局は、他代行統制動作を行う他代行統制状態である代行可能局から前記切替要求信号が受信された場合に、当該代行可能局を指定する情報を含む代行統制の通知信号を無線により送信する代行切替通知手段を備えた、
ことを特徴とする無線通信システム。
【発明の詳細な説明】
【技術分野】
【０００１】
本発明は、代行統制状態への切替機能を有する代行可能局を複数有する無線通信システムに関し、特に、これら複数の代行可能局の効果的な運用を可能とした無線通信システムに関する。
【背景技術】
【０００２】
例えば、都道府県・市町村デジタル移動通信システムといった無線通信システムが検討等されている（非特許文献１参照。）。
図４には、このような無線通信システムの構成例を示してある。
本例の無線通信システムは、基地局無線装置１０１、統制局装置１０２、基地局無線装置１０１と統制局装置１０２とを接続する専用線（専用回線）１０３、代行統制局の機能を有していない移動局装置１１１、代行統制局の機能を有する２台の統制機能付半固定局装置Ｂ１〜Ｂ２を備えている。
本例では、統制局装置１０２の番号（呼出番号）が「１００番」であり、統制機能付半固定局装置Ｂ１の番号（呼出番号）が「１０５番」であり、統制機能付半固定局装置Ｂ２の番号（呼出番号）が「１１９番」であり、また、他の各装置にも番号（呼出番号）が設定されており、それぞれの番号がそれぞれの装置のメモリに記憶されている。
【０００３】
ここで、移動局装置１１１や２台の統制機能付半固定局装置Ｂ１〜Ｂ２は、基地局無線装置１０１の通信エリアに存在しており、基地局無線装置１０１により配下に収容されて管理されている。
また、移動局装置１１１や統制機能付半固定局装置Ｂ１〜Ｂ２などの端末局装置としては、例えば、種々なものが、種々な数（例えば、多数）、備えられてもよい。
また、一例として、統制局装置１０２は市役所等に設置されており、各統制機能付半固定局装置Ｂ１〜Ｂ２は市役所の分室、消防署或いは警察等に設置されている。
【０００４】
図４の例では、基地局無線装置１０１と統制局装置１０２との間の専用線１０３の回線断により、基地局無線装置１０１と統制局装置１０２との間で通信することができなくなっており、基地局無線装置１０１は折返通信状態となっている。
折返通信状態では、基地局無線装置１０１が、収容する端末局装置（移動局装置１１１等）からの信号を折り返すことで、当該基地局無線装置１０１の通信エリア内での通信を確保する。
また、統制機能付半固定局装置Ｂ１〜Ｂ２は、折返通信状態となった基地局無線装置１０１により収容される端末局装置（移動局装置１１１等）に対して、代行的に統制機能を持つ。
【０００５】
従来では、基地局無線装置１０１は、折返通信状態となったときに現用機の代行統制局とする端末局装置の番号（本例では、現用機として動作する統制機能付半固定局装置Ｂ１に対応した「１０５番」）をメモリに予め登録しており、折返通信状態となったときにその旨（折返通信状態となった旨）を通知するための報知信号を無線により送信する。
【０００６】
また、基地局無線装置１０１は、折返通信状態では、統制局装置１０２の番号（本例では、「１００番」）宛てで受信したときにその番号を現用機の代行統制局の番号（本例では、「１０５番」）へ振り替えることを行い、また、一斉、統制の種別で受信したときに、発信者の番号（本例では、現用機として動作する統制機能付半固定局装置Ｂ１に対応した「１０５番」或いは予備機として動作する統制機能付半固定局装置Ｂ２に対応した「１１９番」）を統制局装置１０２の番号（本例では、「１００番」）へ振り替えることを行う。
【０００７】
このように、基地局無線装置１０１は、折返通信状態となった時点で、統制局装置１０２を呼び出す番号を、予め登録している現用機の代行統制局の呼出番号へ変換する状態となる。これにより、ある端末局装置（例えば、移動局装置１１１）から統制局装置１０２の番号で発呼すると、現用機の代行統制局が被呼する。
【０００８】
各統制機能付半固定局装置Ｂ１〜Ｂ２は、折返通信状態となった旨を通知するための報知信号を受信するまでは通常の端末局装置（本例では、半固定局装置）として動作し、当該報知信号を受信したときには、統制機能を有効とする。本例では、統制機能付半固定局装置Ｂ１は現用機として動作し、統制機能付半固定局装置Ｂ２は予備機として動作する。
【０００９】
現用機として動作する統制機能付半固定局装置Ｂ１及び予備機として動作する統制機能付半固定局装置Ｂ２は、発信動作として、統制機能に係る一斉、統制、同報の通信を行い、統制機能に係る通信モニタの通信を行い、通常通信の呼出の通信を行う。
現用機として動作する統制機能付半固定局装置Ｂ１は、受信動作として、統制機能に係る緊急連絡、統制局装置１０２の番号（本例では、「１００番」）の着信を行い、自装置の番号（本例では、「１０５番」）の着信を行い、また、統制運用のために、グループ通信の着信は禁止されてできない。
予備機として動作する統制機能付半固定局装置Ｂ２は、受信動作として、統制機能に係る緊急連絡、統制局装置１０２の番号（本例では、「１００番」）の着信はできず、自装置の番号（本例では、「１１９番」）の着信を行い、また、統制運用のために、グループ通信の着信は禁止されてできない。
【先行技術文献】
【特許文献】
【００１０】
【特許文献１】特開２０００−１３３０２号公報
【非特許文献】
【００１１】
【非特許文献１】ＡＲＩＢ  ＳＴＤ−Ｔ７９、「都道府県・市町村デジタル移動通信システム」、社団法人電波産業会
【発明の概要】
【発明が解決しようとする課題】
【００１２】
上述のように、図４に示されるような無線通信システムでは、複数台の代行統制局Ｂ１〜Ｂ２を有する場合には、統制機能を持つ代行統制局は複数台であるが、平常時の統制局装置１０２の呼出番号で受信する局は、１台の現用機の代行統制局Ｂ１のみとする方式としていた。つまり、図４の例では、１０５番の統制機能付半固定局装置Ｂ１が、現用機として、緊急連絡及び１００番（統制局装置１０２の呼出番号）の着信が可能となっており、一方、１１９番の統制機能付半固定局装置Ｂ２は、予備機として、着信動作のうち緊急連絡及び１００番の着信はできなかった。
【００１３】
このように、従来では、一斉通信、統制通信、同報通信の発信及び通信モニタなどの統制機能を実行することができる代行統制局Ｂ１〜Ｂ２を複数局持てるが、統制局装置１０２の代行として受信することができる代行統制局Ｂ１は１局であるため、例えば、予備機が発信して、現用機がその応答を受信したときに、その応答の内容を現用機から予備機へ通知する必要があるといったように、ある代行統制局が運用において受信した伝達情報を他の代行統制局へ伝達する必要があった。具体的には、図４の例では、予備機である１１９番の代行統制局Ｂ２は、一斉通信、統制通信の発信はできても、移動局装置１１１が統制局装置１０２（１００番）へ発信した信号を受信することはできなかった。
また、従来では、複数の代行統制局Ｂ１〜Ｂ２のいずれにおいても、グループ通信の着信ができなかった。
【００１４】
本発明は、このような従来の事情に鑑み為されたもので、代行統制状態への切替機能を有する代行可能局を複数有する構成において、これら複数の代行可能局の効果的な運用を可能とした無線通信システムを提供することを目的とする。
【課題を解決するための手段】
【００１５】
上記目的を達成するため、本発明では、基地局と、前記基地局と無線により通信する複数の端末局を有し、前記複数の端末局の内の２つ以上が代行統制状態への切替機能を有する代行可能局となっている無線通信システムにおいて、次のような構成とした。
すなわち、前記基地局では、基地局無線通信手段が、前記複数の端末局と無線により通信する。代行開始通知手段が、代行統制を設定する状態になった場合に、前記２つ以上の代行可能局の内で予め定められた１つの代行可能局を指定する情報を含む代行統制の通知信号を無線により送信する。
前記２つ以上の代行可能局のそれぞれでは、端末局無線通信手段が、前記基地局と無線により通信する。代行移行手段が、前記基地局から代行統制の通知信号が受信された場合に、当該通知信号に含まれる情報により自局が指定されたか否かを判定し、自局が指定されたと判定したときには、予め設定された動作である代行統制動作を行う代行統制状態へ移行する一方、自局が指定されなかったと判定したときには、予め設定された動作である他代行統制動作を行う他代行統制状態へ移行する。代行統制動作手段が、前記代行統制状態において前記代行統制動作を行う。他代行統制動作手段が、前記他代行統制状態において前記他代行統制動作を行う。切替要求手段が、自局が他代行統制動作を行う他代行統制状態である場合に、代行統制状態への切替要求があったことに応じて、代行統制状態への切替要求信号を前記基地局へ無線により送信する。
また、前記基地局では、代行切替通知手段が、他代行統制動作を行う他代行統制状態である代行可能局から前記切替要求信号が受信された場合に、当該代行可能局を指定する情報を含む代行統制の通知信号を無線により送信する。
従って、代行統制状態への切替機能を有する代行可能局を複数有する構成において、これら複数の代行可能局の効果的な運用を可能とすることができる。
【００１６】
ここで、無線通信システムとしては、種々なものが用いられてもよい。
また、端末局としては、種々なものが、種々な数、用いられてもよい。
また、代行可能局の数としては、種々な数が用いられてもよい。
また、代行可能局としては、種々な端末局が用いられてもよい。
また、複数の代行可能局の内で初期的に代行統制状態とする代行可能局としては、種々なものが用いられてもよい。
また、代行統制を設定する状態としては、種々な状態が用いられてもよく、例えば、基地局と統制局との間の通信が不可能になった状態や、或いは、オペレータ（人）の操作により指示されたという状態、などを用いることができる。
【００１７】
また、代行統制の通知信号としては、種々な信号が用いられてもよく、例えば、報知信号を用いることができる。
また、代行統制状態における代行統制動作や、他代行統制状態における他代行統制動作としては、それぞれ、種々な動作が用いられてもよい。一例として、他代行統制動作として、代行統制が行われない通常時の動作と同一の動作又はそれに近い動作を用いることができる。
【００１８】
また、代行統制状態への切替要求としては、例えば、ユーザ（人）の操作により発せられてもよく、或いは、予め設定されたアルゴリズムなどにより所定の条件が満たされたときに装置により自動的に発せられてもよい。
また、代行統制状態への切替要求信号としては、種々な信号が用いられてもよく、例えば、ショートメッセージ通信の信号を用いることができる。
【発明の効果】
【００１９】
以上説明したように、本発明に係る無線通信システムによると、代行統制状態への切替機能を有する代行可能局を複数有する構成において、これら複数の代行可能局の効果的な運用を可能とすることができる。
【図面の簡単な説明】
【００２０】
【図１】（ａ）、（ｂ）は本発明の一実施例に係る無線通信システムの構成例を示す図である。
【図２】代行統制状態である代行統制局を切り替えるときにおける処理の手順の一例を示す図である。
【図３】（ａ）は基地局無線装置の構成例を示す図であり、（ｂ）は代行統制局の構成例を示す図である。
【図４】無線通信システムの構成例を示す図である。
【発明を実施するための形態】
【００２１】
本発明に係る実施例を図面を参照して説明する。
図１（ａ）、（ｂ）には、本発明の一実施例に係るデジタル移動通信システムである無線通信システムの構成例を示してある。
本例の無線通信システムは、基地局無線装置１、統制局装置２、基地局無線装置１と統制局装置２とを接続する専用線（専用回線）３、代行統制局の機能を有していない移動局装置１１、代行統制局の機能を有する代行可能局である２台の統制機能付半固定局装置（代行統制局）Ａ１〜Ａ２を備えている。
本例では、統制局装置２の番号（呼出番号）が「１００番」であり、統制機能付半固定局装置Ａ１の番号（呼出番号）が「１０５番」であり、統制機能付半固定局装置Ａ２の番号（呼出番号）が「１１９番」であり、また、他の各装置にも番号（呼出番号）が設定されており、それぞれの番号がそれぞれの装置のメモリに記憶されている。
【００２２】
なお、図１（ａ）には現用機である代行統制局Ａ１が代行統制の動作を行う状態（現用機側の統制運用状態）を示してあり、図１（ｂ）には予備機である代行統制局Ａ２が代行統制の動作を行う状態（予備機側の切替統制運用状態）を示してある。
【００２３】
ここで、移動局装置１１や２台の統制機能付半固定局装置Ａ１〜Ａ２は、基地局無線装置１の通信エリアに存在しており、基地局無線装置１により配下に収容されて管理されている。
また、移動局装置１１や統制機能付半固定局装置Ａ１〜Ａ２などの端末局装置としては、例えば、種々なものが、種々な数（例えば、多数）、備えられてもよい。
また、一例として、統制局装置２は市役所等に設置されており、各統制機能付半固定局装置Ａ１〜Ａ２は市役所の分室、消防署或いは警察等に設置されている。
【００２４】
図１（ａ）、（ｂ）の例では、基地局無線装置１と統制局装置２との間の専用線３の回線断により、基地局無線装置１と統制局装置２との間で通信することができなくなっており、基地局無線装置１は折返通信状態となっている。
折返通信状態では、基地局無線装置１が、収容する端末局装置（移動局装置１１等）からの信号を折り返すことで、当該基地局無線装置１の通信エリア内での通信を確保する（例えば、上記非特許文献１参照）。
また、統制機能付半固定局装置Ａ１〜Ａ２は、折返通信状態となった基地局無線装置１により収容される端末局装置（移動局装置１１等）に対して、代行的に統制機能を持つ。
【００２５】
本例では、基地局無線装置１は、折返通信状態となったときに初期的に代行統制状態とする端末局装置の番号（本例では、現用機の統制機能付半固定局装置Ａ１に対応した「１０５番」）をメモリに予め登録しており、折返通信状態となったときにその旨を通知するための報知信号を無線により送信する。なお、初期的に代行統制状態とする端末局装置は、前回の折返通信時に最後に代行統制をした端末局装置であってもよく、基地局無線装置１は、その装置の番号をメモリに保持しておいてもよい。本例では、基地局無線装置１は、この報知信号の拡張情報で、現在において代行統制状態とする代行統制局の番号を通知することを行い、具体的には、折返通信状態へ移行した時点では現用機の統制機能付半固定局装置Ａ１に対応した番号「１０５番」を通知し、その後、切り替えに応じて、他の番号（本例では、予備機の統制機能付半固定局装置Ａ２に対応した番号「１１９番」）を通知することもできる。
【００２６】
また、基地局無線装置１は、折返通信状態では、統制局装置２の番号（本例では、「１００番」）宛てで受信したときにその番号を代行統制状態である代行統制局の番号（本例では、「１０５番」或いは「１１９番」）へ振り替えることを行い、また、一斉、統制の種別で受信したときに、発信者の番号（本例では、「１０５番」或いは「１１９番」）を統制局装置２の番号（本例では、「１００番」）へ振り替えることを行う。
【００２７】
このように、基地局無線装置１は、折返通信状態となった時点で、統制局装置２を呼び出す番号を、代行統制状態である代行統制局の呼出番号へ変換する状態となる。これにより、ある端末局装置（例えば、移動局装置１１）から統制局装置２の番号で発呼すると、代行統制状態である代行統制局が被呼する。なお、基地局無線装置１が呼出番号を変換せず、代行統制状態である代行統制局が、元々の自己の呼出番号に加えて統制局の呼出番号も受信可能としてもよい。
【００２８】
また、基地局無線装置１は、折返通信状態において、代行統制動作を行う代行統制状態ではなく他の動作（他代行統制動作）を行う状態（他代行統制状態）である代行統制局から代行統制状態への切替要求の信号を受信した場合に、その切替要求の信号を送信した番号（発信者番号）に対応した当該代行統制局を代行統制状態へ移行させる処理を行う。本例では、この切替要求の信号として、制御チャネルのみで伝達が可能であるショートメッセージ通信の信号を用いている。
ここで、基地局無線装置１は、切替要求の信号を送信した番号（発信者番号）に対応した代行統制局を代行統制状態へ移行させる処理として、統制局変換番号（代行統制状態の代行統制局の番号）を当該発信者番号へ変更する処理や、当該発信者番号を報知信号の拡張情報として送信する処理を行う。また、基地局無線装置１は、いずれの代行統制局が代行統制状態であるかをフラグなどにより管理する。
【００２９】
各統制機能付半固定局装置Ａ１〜Ａ２は、折返通信状態となった旨を通知するための報知信号を受信するまでは通常の端末局装置（本例では、半固定局装置）として動作し、当該報知信号を受信したときには、統制機能を有効とする。本例では、統制機能付半固定局装置Ａ１は現用機であり、統制機能付半固定局装置Ａ２は予備機である。
また、各統制機能付半固定局装置Ａ１〜Ａ２は、折返通信状態となった旨を通知するための報知信号を受信した場合に、当該報知信号に含まれる番号（代行統制状態とする代行統制局の番号）を読み取り、読み取った番号が自装置の番号と一致するか否かを判定し、一致すると判定したときには代行統制動作を行う代行統制状態へ移行し、一致しないと判定したときには他代行統制動作を行う他代行統制状態へ移行する。これにより、基地局無線装置１の配下において、代行統制状態である代行統制局は１局である運用となる。
ここで、本例では、他代行統制動作を行う他代行統制状態として、通常時における通常端末局としての通常動作を行う状態（通常折返通信状態）を用いている。
【００３０】
現用機の統制機能付半固定局装置Ａ１及び予備機の統制機能付半固定局装置Ａ２は、折返通信状態において、一方が代行統制状態に設定され、他方が他代行統制状態に設定される。
現用機の統制機能付半固定局装置Ａ１及び予備機の統制機能付半固定局装置Ａ２は、代行統制状態では、発信動作として、統制機能に係る一斉、統制、同報の通信を行い、統制機能に係る通信モニタの通信を行い、通常通信の呼出の通信を行う。
ここで、一斉通信とは、複数の移動局や固定局で構成されるグループを対象とした、基地局からの下りのみの片方向通信を行うものであり、通話中の対象端末局は自動的に強制切断され通信に引き込まれる。また、統制通信とは、統制局（代行統制局）が行う個別通信、グループ通信であり、通話中の対象端末局は自動的に強制切断され通信に引き込まれ
る。さらに、同報通信とは、統制局（代行統制局）から複数の相手局を対象とした、基地局からの下りのみの片方向通信を行うものである。
現用機の統制機能付半固定局装置Ａ１及び予備機の統制機能付半固定局装置Ａ２は、代行統制状態では、受信動作として、統制機能に係る緊急連絡、統制局装置２の番号（本例では、「１００番」）の着信を行い、自装置の番号（本例では、「１０５番」或いは「１１９番」）の着信を行い、また、統制運用のために、グループ通信の着信は禁止されてできない。
【００３１】
現用機の統制機能付半固定局装置Ａ１及び予備機の統制機能付半固定局装置Ａ２は、他代行統制状態では、発信動作として、統制機能に係る一斉、統制、同報の通信はできず、統制機能に係る通信モニタの通信はできず、通常通信の呼出の通信を行う。
現用機の統制機能付半固定局装置Ａ１及び予備機の統制機能付半固定局装置Ａ２は、他代行統制状態では、受信動作として、統制機能に係る緊急連絡、統制局装置２の番号（本例では、「１００番」）の着信はできず、自装置の番号（本例では、「１０５番」或いは「１１９番」）の着信を行い、グループ通信の着信を行う。
【００３２】
また、現用機の統制機能付半固定局装置Ａ１及び予備機の統制機能付半固定局装置Ａ２は、他代行統制状態において、例えば、ユーザ（人）による操作などに応じて、代行統制状態への切替要求の信号を無線により送信する。本例では、この切替要求の信号として、制御チャネルのみで伝達が可能であるショートメッセージ通信の信号を用いており、また、この切替要求の信号には、基地局無線装置１の番号、代行統制状態への切替要求を示す所定の情報（本例では、「Ｂ０」）、自装置の番号（発信者番号）が含まれる。
【００３３】
図２には、代行統制状態である代行統制局を切り替えるときにおける処理の手順の一例を示してある。
まず、専用線３の切断により、基地局無線装置１が折返通信状態となったときには、折返通信状態になったこと及び初期的に代行統制状態とする代行統制局の番号を含む報知信号が基地局無線装置１から無線送信され、これに応じて、現用機の代行統制局Ａ１は代行統制状態へ移行し、予備機の代行統制局Ａ２は他代行統制状態（本例では、通常折返通信状態）へ移行する。
【００３４】
このとき、基地局無線装置１は統制局装置２の番号（本例では、「１００番」）と現用機の代行統制局Ａ１の番号（本例では、「１０５番」）とを振り替える状態であり（処理Ｔ１）、現用機の代行統制局Ａ１は代行統制状態であって代行統制状態を示す所定の情報（例えば、「代行統制」）を画面に表示する状態であり（処理Ｔ２）、予備機の代行統制局Ａ２は他代行統制状態であって他代行統制状態を示す所定の情報（例えば、「折返通信（副統制）」）を画面に表示する状態である（処理Ｔ３）。
基地局無線装置１は、代行統制状態である代行統制局の番号を含む報知情報（報知信号）やシステム情報を例えば定期的に送信する（処理Ｔ４）。
【００３５】
その後、他代行統制状態である予備機の代行統制局Ａ２では、例えば、ユーザにより代行統制状態への切替操作が行われると（処理Ｔ５）、代行統制状態への切替要求の信号をショートメッセージで基地局無線装置１に対して送信する（処理Ｔ６）。基地局無線装置１では、この切替要求の信号を受信すると、その応答として、代行統制状態への切り替えを許可する信号を予備機の代行統制局Ａ２に対して送信する（処理Ｔ７）。
これにより、基地局無線装置１は統制局装置２の番号（本例では、「１００番」）と予備機の代行統制局Ａ２の番号（本例では、「１１９番」）とを振り替える状態となり（処理Ｔ８）、予備機の代行統制局Ａ２は、代行統制状態へ移行し、代行統制状態を示す所定の情報（例えば、「代行統制」）を画面に表示する状態となる（処理Ｔ９）。
【００３６】
また、基地局無線装置１は、代行統制状態である代行統制局の番号を予備機の代行統制局Ａ２の番号へ変更して、代行統制状態である代行統制局の番号（ここでは、予備機の代行統制局Ａ２の番号）を含む報知情報（報知信号）やシステム情報を送信する（処理Ｔ１０）。
この報知信号の受信により、現用機の代行統制局Ａ１は、他代行統制状態（本例では、通常折返通信状態）へ移行し、他代行統制状態を示す所定の情報（例えば、「折返通信（副統制）」）を画面に表示する状態となる（処理Ｔ１１）。
【００３７】
ここで、図２のフローに関して、他の構成例として、基地局無線装置１の処理Ｔ８は、処理Ｔ６と処理Ｔ７の間に設けられてもよく、この場合、基地局無線装置１は、切替要求の信号を受信したことに応じて、統制局変換番号（代行統制状態の代行統制局の番号）を変更する。
また、図２のフローに関して、他の構成例として、予備機の代行統制局Ａ２の処理Ｔ９は、処理Ｔ１０より後に設けられてもよく、この場合、予備機の代行統制局Ａ２は、代行統制状態である代行統制局の番号（ここでは、予備機の代行統制局Ａ２の番号）を含む報知情報（報知信号）を受信したことに応じて、代行統制状態へ移行して、その表示を行う。
【００３８】
また、図２のフローに関して、他の構成例として、現用機の代行統制局Ａ１では、処理Ｔ１１の時点又はそれより前（処理Ｔ１０より後）か後において、代行統制状態ではなくなったことを明示的に（例えば、文字やランプなどにより）表示すること、或いは、代行統制状態であることを示す表示内容（例えば、文字やランプなど）を消去すること、を行う。
【００３９】
なお、予備機の代行統制局Ａ２が代行統制状態であり現用機の代行統制局Ａ１が他代行統制状態である場合に、現用機の代行統制局Ａ１が切替要求により代行統制状態へ移行する処理についても、図２に示される処理と同様に実現される。
【００４０】
図３（ａ）には、基地局無線装置１の構成例を示してある。
本例の基地局無線装置１は、無線通信機能（無線通信手段の機能）を有する無線部２１、メモリなどを用いて構成される記憶部２２、代行開始通知機能（代行開始通知手段の機能）３１や代行切替通知機能（代行切替通知手段の機能）３２を有する制御部２３、送信アンテナ２４、受信アンテナ２５を備えている。
【００４１】
ここで、本例の基地局無線装置１では、制御部２３により各種の処理の制御が行われ、例えば、代行開始通知機能３１は、折返通信状態となったときに、代行統制の開始を通知するための報知信号を送信する処理を制御し、また、代行切替通知機能３２は、代行統制状態とする代行統制局を切り替えるために報知信号を送信する処理を制御する。
【００４２】
図３（ｂ）には、代行統制局Ａ（本例では、現用機の代行統制局Ａ１又は予備機の代行統制局Ａ２）の構成例を示してある。
本例の代行統制局Ａは、無線通信機能（無線通信手段の機能）を有する無線部４１、メモリなどを用いて構成される記憶部４２、代行移行機能（代行移行手段の機能）５１や切替要求機能（切替要求手段の機能）５２や代行統制動作機能（代行統制動作手段の機能）５３や他代行統制動作機能（他代行統制動作手段の機能）５４を有する制御部４３、アンテナ４４を備えている。
【００４３】
ここで、本例の代行統制局Ａでは、制御部４３により各種の処理の制御が行われ、例えば、代行移行機能５１は、折返通信状態となったときに代行統制状態又は他代行統制状態へ移行する処理を制御し、また、切替要求機能５２は、他代行統制状態において、代行統制状態への切替要求を発する処理を制御し、また、代行統制動作機能５３は、代行統制状態において、代行統制動作を行う処理を制御し、また、他代行統制動作機能５４は、他代行統制状態において、他代行統制動作を行う処理を制御する。
【００４４】
以上のように、本例の無線通信システムでは、端末局装置やシステム内を統括する統制局装置２を有し、平常時には統制局装置２は基地局無線装置１と専用線３により接続され、そして、万が一専用線３が切断されたような場合には、基地局無線装置１は折返通信状態となり、特定の端末局装置（本例では、代行統制局Ａ１〜Ａ２）が統制機能を代行する。また、本例の無線通信システムでは、複数台（本例では、２台）の代行統制局Ａ１〜Ａ２を有しており、折返通信状態時に代行統制状態となる代行統制局を切り替える運用が可能である。
【００４５】
従って、本例の無線通信システムでは、基地局無線装置１の配下において、折返通信状態時には、代行統制状態とする代行統制局を１局とし、他の代行統制局については切替要求により代行統制状態へ移行させるようにして、例えば、当該他の代行統制局或いは別の端末局装置について、平常時に近い（例えば、従来技術と比べて、より近い）運用形態とすることができ、平常時に近い運用で代行統制状態である代行統制局との通信を可能とすることができる。例えば、図４に示される従来技術では、現用機Ｂ１も予備機Ｂ２もグループ通信の着信ができなかったが、本例では、代行統制状態ではない代行統制局ではグループ通信の着信が可能である。
【００４６】
また、本例の無線通信システムでは、基地局無線装置１の報知信号を使用して、代行統制状態に係る代行統制局の番号を通知するため、例えば、代行統制局では、折返通信状態となった後に、途中からの電源投入でも、代行統制状態とする代行統制局の番号（代行統制の開始時における初期的な番号又はその後に切り替えられた番号）の情報を受信することができる。
また、本例の無線通信システムでは、代行統制状態への切替要求の信号としてショートメッセージ通信の信号を使用するため、例えば、通信チャネルの話中に左右されないという効果を得ることができる。
【００４７】
ここで、本例では、１台の基地局無線装置１の配下に２台の代行統制局Ａ１〜Ａ２が設けられる場合を示したが、他の構成例として、１台の基地局無線装置の配下に３台以上の代行統制局が設けられてもよく、この場合、例えば、その内の１台の代行統制局が現用機とされ、他の代行統制局が予備機とされる。
また、本例では、半固定局装置を代行統制局とした場合を示したが、他の構成例として、代行統制局として、固定局装置や移動局装置を用いることも可能である。
【００４８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４９】
１、１０１・・基地局無線装置、  ２、１０２・・統制局装置、  ３、１０３・・専用線、  １１、１１１・・移動局装置、  Ａ、Ａ１、Ａ２・・統制機能付半固定局装置（代行統制局）、  Ｂ１、Ｂ２・・統制機能付半固定局装置、
２１、４１・・無線部、  ２２、４２・・記憶部、  ２３、４３・・制御部、  ２４、２５、４４・・アンテナ、  ３１・・代行開始通知機能、  ３２・・代行切替通知機能、  ５１・・代行移行機能、  ５２・・切替要求機能、  ５３・・代行統制動作機能、  ５４・・他代行統制動作機能、
【図１】
2011135146.tif 000003
【図２】
2011135146.tif 000004
【図３】
2011135146.tif 000005
【図４】
2011135146.tif 000006